(57)【要約】【目的】貼付後の剥離を容易にする非接着の摘み部を、テープ側縁の長手方向に沿って形成しながら片手で容易に対象物に貼付可能で、かつ所望の長さで確実に切断できる粘着テープカッターを提供する。【構成】テープ巻付体４を回転自在に支持する支持部１２に本体ケース１６を握持する握持部が形成され、テープ巻付体から引き出される粘着テープ２には、切断手段１４に至る引き出し経路の途中に設けた重合部形成手段２０により、その長手方向に沿って側縁が所定幅で粘着面２ａ側に折り返されて非接着の重合部が形成される。切断手段側方には、テープ粘着面を対象物に押圧して貼着する押圧ローラ２８が設けられる。切断手段は本体ケースに中央部が回動自在に支持された揺動レバー１４ａと、揺動レバーの一端に取り付けられた切断刃１４ｂとからなり、押圧ローラで押圧して貼着した粘着テープに切断刃を押し当てると揺動レバーの他端が押圧ローラに当接してその回転のブレーキ機構として機能する。【選択図】    図１
2006240874.tif 000002
【特許請求の範囲】
【請求項１】
環状の粘着テープ巻付体を回転自在に支持する支持部と、該支持部に支持した該粘着テープ巻付体から引き出される粘着テープを切断する切断手段とが本体に設けられ、
該支持部には該粘着テープ巻付体の環状部分の少なくとも一部分を覆って該本体を握持可能な握持部が形成され、
該支持部から該切断手段に至る粘着テープの引き出し経路の途中には、該粘着テープの引き出し時に該粘着テープの長手方向に沿って、少なくともその一側にその側縁を所定幅で粘着面側に折り返して非接着部となる重合部を形成する重合部形成手段が設けられ、
該切断手段の側方には、該重合部形成手段から該切断手段に至る粘着テープの粘着面を貼着対象物に押し付けて貼り付ける押圧ローラが設けられ、
該切断手段は、本体に中央部が回動自在に支持された揺動レバーと、該揺動レバーの一端に取り付けられた切断刃とからなり、該押圧ローラで該貼着対象物に押し付けて貼着した粘着テープを切断刃に押し当てると該揺動レバーの他端が該押圧ローラに当接して、該押圧ローラの回転を規制するブレーキ機構として機能する、
ことを特徴とする粘着テープカッター。
【請求項２】
前記重合部形成手段が、
前記粘着テープの側部に所定の折り曲げ幅を残して前記粘着面側に接触する折り曲げローラと、
該折り曲げローラの端面に対向し、該折り曲げローラに接触していない該粘着テープ側縁の非粘着面側に押圧接触して該側縁を該折り曲げローラの端面との間に挟んで前記所定幅で粘着面側に折り曲げる折り曲げガイド片と、
該側縁が折り曲げられた粘着テープの該側縁の非粘着面側に押圧接触して該側縁を鋭角に折り返すガイド部を有して、該粘着テープの粘着面側に配置された折り返しガイド片と、
該側縁が折り返された該粘着テープの非粘着面側に押圧接触して該側縁が折り返された粘着テープの対向する粘着面同士を重合させて貼り合わせる押圧ローラと、からなることを特徴とする請求項１に記載の粘着テープカッター。
【発明の詳細な説明】
【技術分野】
【０００１】  本発明は、粘着テープカッターに係わり、特に粘着テープの対象物への貼り付け後における当該粘着テープの剥離作業を容易に行わせるための摘み部となる非接着部を、当該粘着テープの側縁を折り返し重合させることで長手方向に沿って連続形成し得、しかも当該非接着部を形成しながら片手で容易に当該粘着テープを対象物に貼り付けることができるハンディタイプの粘着テープカッターに関する。
【背景技術】
【０００２】  粘着テープは、布、セロハン、クラフト紙、ゴム、ポリ塩化ビニルなどの薄膜状の長尺な基材の片面に、ゴムまたは合成樹脂を主材とする粘着剤を塗布したものであり、通常、この粘着テープはロール状に巻かれて環状の粘着テープ巻付体とされて流通されている。そして、この様な粘着テープは様々な接着用途に用いられているが、テープ幅が５０ｍｍ程ある幅広の粘着テープは特に段ボール箱の封緘などの梱包時に多用されている。【０００３】  また、この様な幅広の粘着テープを梱包時等に使用するにあたっては、粘着テープ巻付体から粘着テープを引き出して所望の長さで切断して対象物に貼り付けることになるが、このような作業を容易に行い得るテープカッターとして、粘着テープを貼付する際に、テープカッターを手に持って、その先端に引き出してある粘着テープの粘着面を対象物に押しつけるだけで貼付を可能にした粘着テープホルダーが、例えば特開２００１−１４６３５６号公報に示されている。【０００４】  即ち、この粘着テープホルダーは、ロール状に巻かれた粘着テープに装着する本体の一端に、引き出した粘着テープを添わせるテープ誘導部を形成するとともに、その先端にテープ切断刃を設け、かつ引き出した粘着テープが添う面を、縁より内の部分が盛り上がった形状に形成したる上、表面に複数個の突起を設けたテープ保持部を、当該粘着テープが添う面を覆い跨ぐように設け、且つ、両側端に連結腕を形成してテープ切断刃の先端から、引き出した粘着テープが添う面までを覆い、表面に複数個の突起を設けたカバー板を、テープ保持部の両側端に連結腕で挟み込んで咬合させ、連結腕を貫通しテープ保持部の側面に固定した主軸で廻動自在に取り付ける構造となっている。【０００５】  ところで、粘着テープは、殆どの場合において、一時的な仮止めに用いられており、爾後に引き剥がされるか、あるいは切断されている。ここで、粘着テープは、その基材は薄く、また、基材の片面全体に粘着剤が塗布されているため、貼り付けられた粘着テープを対象物から引き剥がすのは甚だ面倒な作業であった。すなわち、対象物に対して粘着面の全面が貼り付いた粘着テープを剥がす際には、粘着テープの外周縁部を爪等で捲り起こして摘み代を形成し、この摘み代を指先で摘んで引き剥がす必要があって、当該摘み代を捲り起こす作業は面倒で甚だ煩わしいものであった。【０００６】  そこで、本出願人は、粘着テープの貼り付け後の剥離を容易に行うための摘み部となる非接着部を、当該テープの側縁にこれを折り返し重合させて長手方向に沿って形成し得、しかも当該非接着部を形成しながら片手で容易に対象物に貼り付けることができる粘着テープカッターを開発し、既に特許文献１（特開２００４−３３１２９６号公報）にて開示されている。【０００７】  即ち、当該公報の粘着テープカッターは、一端に粘着テープ巻付体を回転自在に支持する支持部が設けられるとともに、他端に該支持部に支持された粘着テープ巻付体から引き出した粘着テープを切り取るカット部が設けられ本体ブラケットを有し、該支持部から該カット部に至る粘着テープの引き出し経路の途中には、粘着テープの粘着面側に配置される粘着面側部材と非粘着面側に配置される非粘着面側部材とからなり、該両部材間に該粘着テープを掛け回して挿通することにより、該粘着テープの引き出し時に該粘着テープの長手方向に沿って少なくともその一側に、その側縁を所定幅で粘着面側に折り返して非接着部となる重合部を形成する重合部形成手段が該本体ブラケットに設けられ、該支持部の外周部には、該本体ブラケットに対して回動自在に装着されて該支持部に支持された該粘着テープ巻付体の少なくとも一部分を覆って該粘着テープ巻付体の外周面に接して握持部を形成するテープカバーが設けられてなるものである。
【特許文献１】特開２００４−３３１２９６号公報
【発明の開示】
【発明が解決しようとする課題】
【０００８】  ところで、粘着テープ巻付体には、これより引き出す粘着テープの剥離を容易にするために、その基材に剥離剤を塗布あるいは含浸させる等したものがある。そして、このような粘着テープ巻付体を上記従来の粘着テープカッターを用いて対象物に貼着し、所望の長さで切断しようとすると、剥離剤の影響により切断刃が基材表面を滑り易くなり、加えて粘着テープ巻付体からの粘着テープの剥離性が良いが故に、切断時に生じる張力で粘着テープがズルズルと引き出されてしまい、所望の長さにて確実に切断し難いという問題があった。【０００９】  本発明は上記事情に鑑みてなされたものであって、その目的は、粘着テープの貼り付け後の剥離を容易にするための摘み部となる非接着部を、当該テープの長手方向に沿って側縁に折り返し重合形成することができるとともに、当該非接着部を形成しながら片手で容易に対象物に貼り付けることができ、かつ適宜所望の長さにて確実に切断することができる粘着テープカッターを提供することにある。
【課題を解決するための手段】
【００１０】  上記の目的を達成するために、本発明に係る粘着テープカッターにあっては、環状の粘着テープ巻付体を回転自在に支持する支持部と、該支持部に支持した該粘着テープ巻付体から引き出される粘着テープを切断する切断手段とが本体に設けられ、該支持部には該粘着テープ巻付体の環状部分の少なくとも一部分を覆って該本体を握持可能な握持部が形成され、該支持部から該切断手段に至る粘着テープの引き出し経路の途中には、該粘着テープの引き出し時に該粘着テープの長手方向に沿って、少なくともその一側にその側縁を所定幅で粘着面側に折り返して非接着部となる重合部を形成する重合部形成手段が設けられ、該切断手段の側方には、該重合部形成手段から該切断手段に至る粘着テープの粘着面を貼着対象物に押し付けて貼り付ける押圧ローラが設けられ、該切断手段は、本体に中央部が回動自在に支持された揺動レバーと、該揺動レバーの一端に取り付けられた切断刃とからなり、該押圧ローラで該貼着対象物に押し付けて貼着した粘着テープを切断刃に押し当てると該揺動レバーの他端が該押圧ローラに当接して、該ローラの回転を規制するブレーキ機構として機能する、ことを特徴とする。【００１１】  ここで、前記重合部形成手段は、前記粘着テープの側部に所定の折り曲げ幅を残して前記粘着面側に接触する折り曲げローラと、該折り曲げローラの端面に対向し、該折り曲げローラに接触していない該粘着テープ側縁の非粘着面側に押圧接触して該側縁を該折り曲げローラの端面との間に挟んで前記所定幅で粘着面側に折り曲げる折り曲げガイド片と、該側縁が折り曲げられた粘着テープの該側縁の非粘着面側に押圧接触して該側縁を鋭角に折り返すガイド部を有して、該粘着テープの粘着面側に配置された折り返しガイド片と、該側縁が折り返された該粘着テープの非粘着面側に押圧接触して該側縁が折り返された粘着テープの対向する粘着面同士を重合させて貼り合わせる押圧ローラと、からなる構成となし得る。
【発明の効果】
【００１２】  上記構成に係る本発明の粘着テープカッターによれば、粘着テープの対象物への貼り付け後における当該粘着テープの剥離を容易に行うための摘み部となる非接着部を、当該粘着テープ引き出し時に、その側縁を折り返し重合させて長手方向に沿って連続して形成し得、しかも当該非接着部を形成しながら片手で容易に対象物に貼り付けることができ、かつ切断時に押圧ローラを揺動レバーで押圧してその回転を規制することで、粘着テープが引き出されてしまうことを防止でき、当該粘着テープを所望の任意の長さにて確実に切断できるようになる。
【発明を実施するための最良の形態】
【００１３】  以下に、本発明に係る粘着テープカッターの好適な実施の形態について、添付図面を参照して詳細に説明する。【００１４】  図１は本発明に係る粘着テープカッターの一実施形態を示す正面図であり、図２は図１の背面図、図３（ａ），（ｂ）は２分割構成の本体ケースを開いて分離した状態の各分割本体ケースの正面図、図４は図１の底面図、図５は重合部形成手段の折り曲げ機構部および折り返し機構部をなす樹脂成形部品を示す図で、（ａ）は正面図、（ｂ）は（ａ）の左側面図、（ｃ）は（ａ）の上面図である。また、図６は図１中のＶＩ−ＶＩ線矢視図、図７は切断手段部分の拡大図で（ａ）は粘着テープの貼り付け時の状態を示し、（ｂ）は切断時の状態を示している。【００１５】  図１と図２とに示すように、粘着テープカッター１０は、片面に粘着剤が塗布されて粘着面２ａとされた幅約１８ｍｍ程度の長尺な粘着テープ２をロール状に巻いて環状となした粘着テープ巻付体４から、粘着テープ２を所望の長さに引き出して切り取るためのものであって、例えば机や作業台等の上で封筒を封止する場合等、種々の物品の貼着対象物に粘着テープ２を貼り付ける際に用いて有用であり、その形状は作業者が手に持ったまま粘着テープ２の貼り付け及び切り取り作業が行えるようにされている。【００１６】  即ち、このテープカッター１０は、テープ支持部１２と切断手段１４とを具備した本体ケース１６を有する。この本体ケース１６は透明なプラスチック製でなり、粘着テープ巻付体４を内部に収容して回転自在に支持する円筒状の支持部１２が一体的に形成されている。粘着テープ巻付体４はその芯材の内周面が当該支持部１２に回転自在に嵌合されて支持され、この支持部１２の側方に突出して形成された引出口１８から外部に引き出されるようになっており、この引出口１８に臨んで本体ケース１６内に切断手段が１４が設けられている。【００１７】  そして、この支持部１２から引出口１８の切断手段１４に至る粘着テープの引き出し経路部分は、本体ケース１６が側方に膨らむ膨出部として形成されており、この膨出部内には、粘着テープ２の引き出し時に当該粘着テープ２の長手方向に沿って、少なくともその一側にその側縁を所定幅で粘着面側に折り返して非接着部となる重合部を形成する重合部形成手段２０が設けられるようになっている。【００１８】  この重合部形成手段２０は、支持部１２から切断手段１４に至る粘着テープ２の引き出し経路の途中に介在されて、粘着テープ２の貼り付け後の剥離を容易にするための摘み部となる非接着部を形成するようになっており、粘着テープ２の側部に所定の折り曲げ幅を残して粘着面２ａ側に接触する折り曲げローラ２２と、この折り曲げローラ２２の端面２２ａに対向して設けられて、当該折り曲げローラ２２に接触していない粘着テープ側縁の非粘着面側に押圧接触し、当該側縁を折り曲げローラ２２の端面２２ａとの間に挟んで所定幅で粘着面２ａ側に折り曲げる折り曲げガイド片２４と、側縁が折り曲げられた粘着テープ２の当該側縁の非粘着面側に押圧接触して当該側縁を鋭角に折り返すガイド部２６ａを有して、粘着テープの粘着面側に配置された折り返しガイド片２６と、側縁が折り返された粘着テープ２の非粘着面側に押圧接触して側縁が折り返された粘着テープ２の対向する粘着面２ａ同士を重合させて貼り合わせる押圧ローラ２８とから構成されている。ここで、本実施形態では、上記折り曲げガイド片２４と折り返しガイド片２６とは一体の樹脂成形部品として形成されている。【００１９】  即ち、重合部形成手段２０は、引き出される粘着テープ２の長手方向の一側部の側縁２Ｓを粘着面側の下方に略９０度まで折り曲げる折り曲げ機構部Ａと、その折り曲げられた側縁２Ｓを更に略１８０度まで折り返して粘着面同士を対面させる折り返し機構部Ｂ、およびその対面した粘着面同士を重合させて貼り合わせる貼り合わせ手段Ｃとからなる。【００２０】  折り曲げ機構部Ａは、折り曲げ手段としての折り曲げローラ２２と折り曲げガイド片２４とにより構成されている。
折り曲げローラ２２は折り返し機構部Ｂの上流側に位置して、本体ケース１６の側板１７に回転自在に軸支されて取り付けられている。図６に示すように、折り曲げローラ２２の一方の端部は粘着テープ２の粘着面２ａ上に位置しており、当該粘着テープ２の一側部に所定の折り曲げ幅を残して粘着面２ａ側に押圧接触する。つまり、この折り曲げローラ２２の外周面２２ｂは、粘着テープ巻付体４から引き出される粘着テープ２の粘着面２ａに対して、その全幅に亘っては接触されずに所定範囲部分にだけ接し、折り曲げ予定幅の部分の粘着面２ａには接しないようになっている。また、この外周面２２ｂには多数の溝部が形成されており、粘着面２ａとの接触面積を減少させて粘着テープ２と接着されるのを防止するようになっている。そして、粘着テープ２の一側部をその端面２２ａ部分で折り曲げて、この折り曲げ状態にて折り返し機構部Ｂ方向へ案内するようになっている。【００２１】  また。折り曲げローラ２２の端面２２ａに対向配置されて、当該折り曲げローラ２２に接触していない粘着テープ２ａの側縁２Ｓ部分を所定の折り曲げ幅Ｗで粘着面側に折り曲げるべく、当該折り曲げ幅Ｗ部分の非粘着面２ｂ側に押圧接触して、当該側縁２Ｓを折り曲げローラ２２の端面２２ａとの間に挟んで上記所定幅Ｗで粘着面２ａ側に折り曲げる非粘着面側部材としての折り曲げガイド片２４が本体ケース１６に設けられている。【００２２】  折り返し機構部Ｂは、図５に示すように、折り曲げられた粘着テープ２の側縁２Ｓ部分の非粘着面２ｂ側に押圧接触して、当該側縁２Ｓを略１８０度まで折り返すためのガイド部を有した折り返しガイド片２６でなる。本実施形態にあっては、この折り返しガイド片２６は、前記粘着テープ２ａの側縁２ａＳの折り曲げ角度を略１３５度まで（粘着面同士の角度で略４５度の鋭角まで）案内して狭める第１のガイド部としての傾斜ブロック２６ａと、この傾斜ブロック２６ａに隣接配置されて上記折り曲げ角度を略１８０度まで案内して折り返す、第２のガイド部としての切欠ブロック２６ｂとから構成されており、両ブロック２６ａ，２６ｂは粘着テープ２下方の粘着面側に配置されて、本体ケース１６に取り付けられている。【００２３】  即ち、傾斜ブロック２６ａは粘着テープ２の粘着面２ａに対して鋭角となる傾斜角α（≒４５度）を有する傾斜面２７を備えて、本体ケース１６に固定されている。また、切欠ブロック２６ｂはくさび形の切欠部２６ｃを有している。そして、この切欠部２６ｃにはこれに周面が対向して横断するように押さえローラ３０が本体ケースに軸支されて回転自在に設けられており、当該押さえローラ３０はその周面の一部が切欠部２６ｃに臨んでいる。【００２４】  貼り合わせ手段Ｃは、側縁２Ｓが折り返された粘着テープ２の対向する粘着面同士を重合させて貼り合わせるものであって、折り返し機構部Ｂと切断手段１４との間に設けられている。本実施形態では、当該貼り合わせ手段Ｃはゴム製の押圧ローラ２８で構成されている。この押圧ローラ２８は側縁２Ｓが折り返された粘着テープ２の非粘着面側に接触してこれを押圧し、当該粘着テープ２の粘着面２ａを貼り付け対象物に対して押しつけて貼着させるようになっており、その外��面の一部は本体ケース１６の引出口１８から外部に若干突出されて露出し、切断手段１４の側方に位置されて設けられている。そして、この押圧ローラ２８は本体ケース１６の対向する一対の側板部１７に両端が回転自在に軸支されて取り付けられている。また、押圧ローラ２８と上記切欠ブロック２６ｂとの間には粘着テープ２の粘着面２ａ側に当接しつつ当該粘着テープ２を円滑に押圧ローラ２８に導くためのガイドローラ３２が本体ケース１６の側板部１７に軸支されて回転自在に設けられている。【００２５】  切断手段１４は、本体ケース１６の側板部１７に略中央部が回動自在に支持された揺動レバー１４ａと、この揺動レバー１４ａの一端に取り付けられた切断刃１４ｂとからなる。揺動レバー１４ａはへの字状に屈曲形成されており、押圧ローラ２８の側方に位置されて、その略中央の屈曲部近傍で支軸１５を介して本体ケース１６の側板部１７に揺動自在に軸支されている。そして、揺動レバー１４ａは当該への字状に屈曲した内面側が押圧ローラ２８に臨まされて近接配置されていて、切断刃１４ｂが取り付けられた一端側が押圧ローラ２８から離間する方向に揺動すると、その他端側が押圧ローラ２８に近接して、屈曲した内面が当該押圧ローラ２８の外周面に当接して、当該押圧ローラ２８の回転を規制するブレーキ機構として機能するようになっている。【００２６】  ここで、本体ケース１６は、図３と図４とに示すように、内部に収納する粘着テープ２の幅方向における中央部を分割線とした、ほぼ対称形をなす一対の透明なプラスチック製の分割ケース１６ａ，１６ｂによって、半割状に分離可能に構成されている。つまり、分割ケース１６ａ，１６ｂのそれぞれの側板部１７ａ，１７ｂから突出する円筒状の支持部１２ａ，１２ｂの内・外径が密着嵌合するように大小異なって形成され、これらを相互に着脱自在に嵌合して結合されるようになっている。また、各側板部１７ａ，１７ｂの周縁には周壁１９を形成する縦壁１９ａ，１９ｂが一体的に突出形成されていて、当該縦壁１９ａ，１９ｂは先端が突き合わされるようになっている。そして、円筒状の支持部１２の内側は貫通形成されており、これにより当該支持部１２は作業者が手で握持可能な握時部１３として形成されている。【００２７】  次に、このテープカッター１０を用いて行う、粘着テープ２の貼り付けについて説明する。
まず、本体ケース１６を開いて粘着テープ巻付体４をテープ支持部２に装着して収容する。そして、この状態から粘着テープ２の先端部を指先で摘んで粘着テープ巻付体４から引き出し、当該引き出した粘着テープ２を重合部形成手段２０の各部材間に挿通セットしてその先端部を引出口１８から本体ケース１６外に導き、この状態で分割ケース１６ａ，１６ｂを嵌合させて本体ケース１６を閉じる。【００２８】  そして、粘着テープ２の先端を摘んで、粘着テープ巻付体４から更に引き出すと、当該引き出された部分には張力が作用することになる。このとき、折り曲げローラ２２はその端部２２ａが粘着テープ２の粘着面２ａ上に位置するようになっていて、粘着テープ２の長手方向の一側端は折り曲げローラ２２に接触していない状態になっているから、当該粘着テープ２は折り曲げローラ２２の端部２２ａの外周縁に当たった部分でその側端縁２Ｓが粘着面２ａを内側にしてその長手方向に沿って折り曲げられながら、当該端部２２ａと折り曲げガイド片２４との間に入り込んでいき、当該部位で略９０度まで折り曲げられた状態とされる。
また、傾斜ブロック２６ａの傾斜面２７には粘着テープ２の一方の側端つまり側部における非粘着面２ｂが接するようになっており、粘着テープ２の一方の側端は粘着面２ａを内側として更なる鋭角に折り曲げられることになる。【００２９】  また、切欠ブロック２６ｂにおいては、粘着テープ２は、傾斜ブロック２６ａにより鋭角に折り曲げられた状態で当接され、切欠部２６ｃ内で徐々にその折り曲げ度合いを増しつつ、対向する粘着面２ａ同士がほぼ平行となるまで折り曲げられる。つまり、粘着テープ２の一方の側端には粘着面２ａを内側とした重合部が連続的に形成されることになる。また、このような一連の工程は、粘着テープ巻付体４から順次粘着テープ２ａを引き出すことにより連続的に行われることになる。【００３０】  そして、重合部がきれいに形成された部分が切断手段１４に届くまで粘着テープ２ａを引き出して切断刃１４ｂで切断することで、粘着テープ巻付体４のテープカッター１０への装着が終了する。【００３１】  ここで、折り返し機構部Ｂにより形成される重合部の寸法は、折り曲げローラ２２により所定の寸法Ｗに規制されるようになっている。すなわち、図６に示すように、粘着テープ２は折り曲げローラ２２の外周面２２ｂに接した部分では折れ曲がることはなく、重合部の寸法は折り曲げローラ２２の端部２２ａから側方に突出した非接触部分の側端縁２Ｓの所定幅Ｗに保たれて形成されるようになっている。【００３２】  そして、封筒などの対象物に粘着テープ２を貼り付ける場合には、テープカッター１０の握持部１３を片手で握って持ち、粘着テープ２の先端を押圧ローラ２８で貼り付け対象物に押し当てながら、所望の貼り付けラインに沿って図７（ａ）に示すようにテープカッター１０を移動操作して、粘着テープ２をその巻付体４から引き出しながら貼り付けていく。このとき、粘着テープ２ａの側縁２Ｓの折り返されて対向する粘着面２ａ同士が互いに押し付けられて、粘着面２ａの一方の側端つまり側部に、側縁２Ｓが折り返されて非接着部分となった重合部が確実に形成されながら、粘着テープ２が対象物に貼り付けられていくことになる。【００３３】  そして、封筒などに所望の長さに亘って、粘着テープ２を引き出して貼り付けたならば、図７（ｂ）に示すように、テープカッター１０を立て気味にして、切断刃１４ｂを粘着テープ２に押し当てて切断することになる。このとき、切断刃１４ｂを粘着テープ２に押し当てると、揺動レバー１４ａは切断刃１４ｂ側の一端が押圧ローラから離間する方向に揺動するとともに、他端側が押圧ローラに近接して、屈曲した内面が当該押圧ローラの外周面に当接して、当該押圧ローラ２８の回転を規制してブレーキ機構として機能する。粘着テープ２はこの押圧ローラ２８の外周に略半周に亘って巻き付いており、このため切断時に生じる粘着テープ２の張力は押圧ローラ２８で受けられるようになり、テープ巻付体４に及ぶ張力が軽減されてテープ巻付体４から粘着テープ２がズルズルと引き出されてしまうことが可及的に防止される。よって、基材に剥離剤が塗布あるいは含浸されているタイプの粘着テープ２を使用しても、所望の長さ・位置で確実に切断することできるようになる。【００３４】  また、このテープカッター１０を用いることにより、粘着テープ２の粘着面２ａの一方の側端に非接着部分である重合部５０を長手方向に沿って容易に連続形成しながら、当該粘着テープ２ａを貼り付けていくことができ、これにより爾後の開封持には、その重合部５０を摘み部となして、当該重合部を摘んで容易に粘着テープ剥がすことができる。【００３５】  なお、以上に説明した粘着テープカッター１０はテープ巻付体４と重合部形成手段２０等は本体ケース１６内に完全に収容されて囲繞されている構成のものを例示してあるが、本発明はこのようなものに限定されることはない。例えば、特許文献１に示されているような、支持部に支持された粘着テープ巻付体の少なくとも一部分を覆って、その粘着テープ巻付体の外周面に接して握持部を形成するテープカバーを本体ブラケットに回動自在に設けてなる梱包用向きの粘着テープカッターにも適用し得る。
【図面の簡単な説明】
【図１】  本発明に係る粘着テープカッターの一実施形態を示す正面図である。
【図２】  図１の背面図である。
【図３】  （ａ），（ｂ）は２分割構成の本体ケースを開いて分離した状態の各分割本体ケースの正面図である。
【図４】  図１の底面図である。
【図５】  本重合部形成手段の折り曲げ機構部および折り返し機構部をなす樹脂成形部品を示す図で、（ａ）は正面図、（ｂ）は（ａ）の左側面図、（ｃ）は（ａ）の上面図である。
【図６】  図１中のＶＩ−ＶＩ線矢視図である。
【図７】  切断手段部分の拡大図であり、（ａ）は粘着テープ貼り付け時の状態を示し、（ｂ）は切断時の状態を示している。
【符合の説明】
２  粘着テープ
２ａ  粘着面
２ｂ  非粘着面
２Ｓ  側縁
４  粘着テープ巻付体
１０  テープカッター
１２  支持部
１４  切断手段
１６  本体ケース
１６ａ，１６ｂ  分割ケース
１８  引出口
２０  重合部形成手段
２２  折り曲げローラ
２２ａ  端面
２２ｂ  周面
２４  折り曲げガイド片
２６ａ  傾斜ブロック
２６ｂ  切欠ブロック
２６ｃ  切欠部
２８  押圧ローラ
３０  押さえローラ
３２  ガイドローラ
Ａ  折り曲げ機構部
Ｂ  折り返し機構部
Ｃ  貼り合わせ手段
【図１】
2006240874.tif 000003
【図２】
2006240874.tif 000004
【図３】
2006240874.tif 000005
【図４】
2006240874.tif 000006
【図５】
2006240874.tif 000007
【図６】
2006240874.tif 000008
【図７】
2006240874.tif 000009